【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】  
複数のサブキャリアを複数のデータ記号ベクトルで変調して第１の変調信号を発生させ、  第１の変調信号の大きさを制限して第１の制限された変調信号を発生させ、第１の制限された変調信号を復調してデータ記号ベクトルを復元するステップより成る無線周波数信号のピーク対平均電力比を減少させる方法であって、
データ記号ベクトルに同相及び直交成分の大きさが最小になるようにプレディストーションを施して、プレディストーションされたデータ記号ベクトルを発生させ、
複数のキャリアをプレディストーションされたデータ記号ベクトルで変調して第２の変調信号を発生させ、
第２の変調信号の大きさを制限して第２の制限された変調信号を発生させ、
第２の制限された変調信号の相互変調積を減少させるステップを含むことを特徴とする無線周波数信号のピーク対平均電力比の減少方法。
【請求項２】  
第２の制限された変調信号の相互変調積を減少させるステップは、
第２の変調信号を復調して第２の復調信号を発生させ、
第２の復調信号中の非データサブキャリアを０にクリッピングし、
第２の復調信号を変調して第３の変調信号を発生させるステップより成ることを特徴とする請求項１の方法。
【請求項３】  
第３の変調信号を制限するステップをさらに含むことを特徴とする請求項２の方法。
【請求項４】  
第３の変調信号を復調して第３の復調信号を発生させ、
第３の復調信号中の非データサブキャリアを０にクリッピングし、
第３の復調信号を変調して第４の変調信号を発生させるステップをさらに含むことを特徴とする請求項３の方法。
【請求項５】  
第４の変調信号を制限するステップをさらに含むことを特徴とする請求項４の方法。
【請求項６】  
第４の変調信号を復調して第４の復調信号を発生させ、
第４の復調信号中の非データサブキャリアを０にクリッピングをし、
第４の復調信号を変調して第５の変調信号を発生させるステップをさらに含むことを特徴とする請求項５の方法。
【請求項７】  
データ記号ベクトルはデータ記号を表わす複数の集合点を含み、集合点は同相成分と直交成分とを有し、プレディストーションを行うステップは、
各集合点の同相成分を同相成分の予想させる大きさの第１の所定の部分より大きいかそれに等しい大きさにスケーリングし、
各集合点の直交成分を直交成分の予想させる大きさの第２の所定の部分より大きいかそれに等しい大きさにスケーリングするステップより成ることを特徴とする請求項１の方法。
【請求項８】  
複数のサブキャリアを複数のデータ記号で変調して変調信号を発生させるステップは、直交位相シフトキーイング変調より成ることを特徴とする請求項１の方法。
【請求項９】  
複数のキャリアは、直交周波数分割多重化キャリアであることを特徴とする請求項８の方法。
【請求項１０】  
第１の変調信号の大きさを制限して第１の制限された変調信号を発生させるステップは、
第１の変調信号の最大の大きさを所定の一定値に設定するステップより成ることを特徴とする請求項１の方法。
【請求項１１】  
第１の変調信号の大きさを制限して第１の制限された変調信号を発生させるステップは、
第１の変調信号の最大の大きさをスケーリングされたＺ曲線により決定される所定の大きさに設定することを特徴とする請求項１の方法。
【請求項１２】  
変調されたキャリアは規準化されていることを特徴とする請求項１の方法。
【請求項１３】  
複数のサブキャリアを複数のデータ記号ベクトルで変調して第１の変調信号を発生するステップは、
データ記号ベクトルに逆高速フーリエ変換を適用し、
データ記号ベクトルに巡回プレフィックスを適用し、
データ記号ベクトルにroot raised cosineウィンドウを適用するステップより成ることを特徴とする請求項１の方法。
【請求項１４】  
複数のサブキャリアを複数のデータ記号ベクトルで変調して第１の変調信号を発生させ、第１群のサブキャリアはラジオチャンネルの上及び下側波帯にあり、第２群のキャリアはラジオチャンネルの中央帯にあり、第１の変調信号の大きさを制限して第１の制限された変調信号を発生させるステップより成る無線周波数信号のピーク対平均電力比を減少させる方法であって、
第１の制限された変調信号の相互変調積を除去し、
第１の制限された変調信号を復調して集合点を復元し、
第１及び第２の群のサブキャリアのデータ記号ベクトルにデータ記号ベクトルをその同相及び直交成分の大きさが最小になるようにプレディストーションを施してプレディストーションされたデータ記号を発生させ、
複数のキャリアをプレディストーションされたデータ記号ベクトルで復調して第２の変調信号を発生させ、
第２の変調信号の大きさを制限して第２の制限された変調信号を発生させ、
第２の制限された変調信号の相互変調積を除去し、
第２群のサブキャリアのデータ記号ベクトルに同相及び直交成分の大きさが最小になるようにプレディストーションを施して別のプレディストーションされたデータ記号ベクトルを発生させるステップより成ることを特徴とする無線周波数信号のピーク対平均電力比減少方法。
【請求項１５】  
第２の制限された変調信号の相互変調積を除去するステップは、
第２の変調信号を復調して第２の復調信号を発生させ、
第２の復調信号の非データサブキャリアを０にクリッピングし、
第２の復調信号を変調して第３の変調信号を変調させるステップより成ることを特徴とする請求項１４の方法。
【請求項１６】  
第３の変調信号を制限するステップをさらに含むことを特徴とする請求項１５の方法。
【請求項１７】  
第３の変調信号を復調して第３の復調信号を発生させ、
第３の復調信号の非データサブキャリアを０にクリッピングし、
第３の復調信号を変調して第４の変調信号を発生させるステップをさらに含むことを特徴とする請求項１６の方法。
【請求項１８】
第４の変調信号を制限するステップをさらに含むことを特徴とする請求項１７の方法。
【請求項１９】  
第４の変調信号を復調して第４の復調信号を発生させ、
第４の復調信号の非データサブキャリアを０にクリッピングし、
第４の複合信号を変調して第５の変調信号を発生するステップをさらに含むことを特徴とする請求項１８の方法。
【請求項２０】  
データ記号ベクトルはデータ記号を表わす複数の集合点を含み、集合点は同相成分と直交成分とを有し、プレディストーションを行うステップは、
各集合点の同相成分を同相成分の予想させる大きさの第１の所定の部分より大きいかそれに等しい大きさにスケーリングし、
各集合点の直交成分を直交成分の予想させる大きさの第２の所定の部分より大きいかそれに等しい大きさにスケーリングするステップより成ることを特徴とする請求項１４の方法。
【請求項２１】  
複数のサブキャリアを複数のデータ記号で変調して変調信号を発生させるステップは、直交位相シフトキーイング変調より成ることを特徴とする請求項１４の方法。
【請求項２２】  
複数のキャリアは、直交周波数分割多重化キャリアであることを特徴とする請求項２１の方法。
【請求項２３】  
第１の変調信号の大きさを制限して第１の制限された変調信号を発生させるステップは、  第１の変調信号の最大の大きさを所定の一定値に設定するステップより成ることを特徴とする請求項１４の方法。
【請求項２４】  
第１の変調信号の大きさを制限して第１の制限された変調信号を発生させるステップは、
第１の変調信号の最大の大きさをスケーリングされたＺ曲線により決定される所定の大きさに設定するステップより成ることを特徴とする請求項１４の方法。
【請求項２５】  
変調されたキャリアは規準化されていることを特徴とする請求項１４の方法。
【請求項２６】  
複数のサブキャリアを複数のデータ記号ベクトルで変調して第１の変調信号を発生するステップは、
データ記号ベクトルに逆高速フーリエ変換を適用し、
データ記号ベクトルに巡回プレフィックスを適用し、
データ記号ベクトルにroot raised cosineウィンドウを適用するステップより成ることを特徴とする請求項１４の方法。
【請求項２７】  
複数のサブキャリアを複数のデータ記号ベクトルで変調して第１の変調信号を発生させる手段（３６）と、第１の変調信号の大きさを制限して第１の制限された変調信号を発生させる手段（４０）と、第１の制限された変調信号を復調してデータ記号ベクトルを復元する手段（４２）とより成るピーク対平均電力比が減少した無線周波数信号を与える無線周波数送信機であって、
データ記号ベクトルに同相及び直交成分の大きさが最小になるようにプレディストーションを施して、プレディストーションされたデータ記号ベクトルを発生させる手段（４４）と、
複数のキャリアをプレディストーションされたデータ記号ベクトルで変調して第２の変調信号を発生させる手段（４６）と、
第２の変調信号の大きさを制限して第２の制限された変調信号を発生させる手段（４８）と、
第２の制限された変調信号の相互変調積を減少させる手段（５０）とより成ることを特徴とする無線周波数送信機。
【請求項２８】  
複数のサブキャリアを複数のデータ記号ベクトルで変調して第１の変調信号を発生させる手段（３６）と、第１の変調信号の大きさを制限して第１の制限された変調信号を発生させる手段（４０）と、第１の制限された変調信号の相互変調積を除去する手段とより成り、第１群のサブキャリアはラジオチャンネルの上及び下側波帯にあり、第２群のキャリアはラジオチャンネルの中央帯にある、ピーク対平均電力比が減少した無線周波数信号を与える無線周波数送信機であって、
第１の制限された変調信号を復調して集合点を復元する手段（４２）と、
第１及び第２の群のサブキャリアのデータ記号ベクトルにデータ記号ベクトルをその同相及び直交成分の大きさが最小になるようにプレディストーションを施してプレディストーションされたデータ記号を発生させる手段（４４）と、
複数のキャリアをプレディストーションされたデータ記号ベクトルで変調して第２の変調信号を発生させる手段（４６）と、
第２の変調信号の大きさを制限して第２の制限された変調信号を発生させる手段（４８）と、
第２の制限された変調信号の相互変調積を除去する手段（５０）と、
第２群のサブキャリアのデータ記号ベクトルに同相及び直交成分の大きさが最小になるようにプレディストーションを施して別のプレディストーションされたデータ記号ベクトルを発生させる手段（４４）とより成ることを特徴とする無線周波数送信機。